(57)【要約】      （修正有）【課題】グリス注入機のグリスカセット固定部の受入れ空間に、グリスカセットを挿入した際に、グリスカセットの肩部／繋ぎ部に、撓み荷重が繰返し掛かることで、繋ぎ部／肩部に亀裂が走り、円筒口部が離脱する問題を回避し、簡便にセットできるグリス注入機のスペーサの構造を提供する。【解決手段】受入れ空間を埋めるためのスペーサ５は、全体の形態が、ドーナツ形状、又はＣ形状のような環状形状で、肉厚５ａを有する。この肉厚５ａは、例えば、グリスカセット固定部１００２の内底部（内底面）より突出形成した貫通口部の開口端面１００２ｂ１と、グリスカセット固定部１００２の内底部とでなる寸法である。この肉厚５ａが、受入れ空間の内底部、グリスカセットの肩部とで形成される隙間を埋める。【選択図】図６
0003195309.tif 000002
【実用新案登録請求の範囲】
【請求項１】
グリスカセット固定部と、このグリスカセット固定部に固定されるグリスカセット、並びにこのグリスカセット固定部に螺着され、かつ前記グリスカセットを被嵌するグリスカセットカバーと、このグリスカセットカバーに摺動自在に内設される牽引具及びスプリングと、前記グリスカセットの口部の開閉を操作するグリスカセットカバーに設けたハンドルと、で構成したグリス注入機において、
前記グリスカセット固定部の前記グリスカセット用の受入れ空間を埋めるためのスペーサの構造であって、
このスペーサは、ドーナツ形状、又はＣ形状のような環状形状で、かつ環状形状の肉厚は、前記グリスカセット固定部に形成した口部の開口端面と、この受入れ空間の内底部との寸法を備える構成としたグリス注入機のスペーサの構造。
【請求項２】
前記受入れ空間の内底部に膨出部位を備えた前記グリス注入機において、前記スペーサには、前記膨出部位を受入れるための空間を、この受入れ空間の内底部と当接する当接側に凹設する構成とした請求項１に記載のグリス注入機のスペーサの構造。
【請求項３】
前記受入れ空間に前記スペーサを挿入した際に、この受入れ空間を形成する壁部端面と、このスペーサ（のグリスカセットの肩部側）との間に、隙間（空間）を形成する構成とした請求項１に記載のグリス注入機のスペーサの構造。
【請求項４】
前記スペーサの、少なくとも、グリスカセットとの接触側を、平坦とする構成とした請求項１に記載のグリス注入機のスペーサの構造。
【考案の詳細な説明】
【技術分野】
【０００１】
本考案は、グリス注入機のスペーサの構造であり、グリスカセット固定部の内底部と、この内底部に突出形成した貫通口部の開口端面とで形成した、例えば、ドーナツ形状空間（グリスカセット固定部の受入れ空間）を埋めるスペーサの構造である。
【背景技術】
【０００２】
この種のグリス注入機１０においては、グリスカセット固定部１００２に形成した、受入れ空間１００２ａ（本考案で云う「ドーナツ形状空間」）に、グリスカセット１を挿入した際に、この受入れ空間１００２ａの内底部１００２ａ１と、グリスカセット１の肩部１ｂ側との間に、図９の如く、隙間Ｈが形成される。この隙間Ｈには、グリスカセット１の底部１ｃがスプリング２で押圧された際に、グリスカセット１の肩部１ｂは押込み力が掛かり撓む（変形する）。押込み力と撓みは、グリスカセット１の肩部１ｂ、及び／又は、肩部１ｂと円筒口部１ｄ（形状を特定するが、他の口部との区別を踏まえてである）との繋ぎ部１ｅに、図７の如く、応力と衝撃（撓み荷重Ａ）が掛かる。この撓み荷重Ａが、繰返し掛かることで、この繋ぎ部１ｅ、及び／又は、肩部１ｂに亀裂が走り、最終的には、図８の如く、円筒口部１ｄが離脱する。
【０００３】
この図８の如く、円筒口部１ｄの離脱が、グリスカセット１内のグリスが無いか、僅少の場合には問題が無い。しかし、グリスの残りが多いときは問題である。また、従来は、残りが多い場合でも、前述の状況では、グリス注入機１０では使用ができないことから、やむなく、破棄しており問題である。
【０００４】
この問題を解決する構造が開示されている。例えば、文献（１）実開昭６３−１０６９９５号公報に記載されている考案がある。その概要は、グリスカセット（グリスカセット容器）の肩部と差込み口部との間に、肩部と併設するように、肩部と同径でなる吸盤部を形成し、この吸盤部が吸着される手段を、グリスカセット固定部に形成する。手段は、グリスカセット固定部の受け入れ側となるケーシングの差込み口部の周辺部（本考案のグリスカセット用の受入れ空間）に、ゴムパッキンを嵌着し、この差込み口部の周辺部に、吸着に必要とする平坦部を設ける構造である。
【考案の概要】
【考案が解決しようとする課題】
【０００５】
前述した文献（１）は、グリスカセット固定部の受入れ側の有底筒部（受入れキャップ）に形成されるグリスカセット用の受入れ空間がなくなる。これにより、本考案が、従来の問題とした、グリスカセット１の肩部１ｂ、及び／又は、繋ぎ部１ｅにかかる応力荷重を回避できる。従って、グリスカセット１の円筒口部１ｄの剥離（グリスカセット１の肩部１ｂからの離脱）が、略無くなる有益性を備える。
【０００６】
文献（１）は、有益性を備える半面、問題を抱えているものと考えられる。即ち、文献（１）は、従来のグリスカセットとは、形状が異なり、吸盤部を有する構造であって、従来のグリス注入機には採用できない。また、使い捨てのグリスカセットには向かない、例えば、コスト高と材料の無駄とがある。さらに、グリスカセット固定部の受入れ側の有底筒部への部材の設置が煩わしい。
【課題を解決するための手段】
【０００７】
上記に鑑み、本考案は、文献（１）が抱えている問題を解消しつつ、従来のグリス注入機とグリスカセットとを、有効に活用できるグリス注入機のスペーサの構造（グリスカセット固定部の受入れ側の有底筒部に挿脱自在のスペーサ）を提案する。
【考案の効果】
【０００８】
請求項１の考案は、グリスカセット固定部と、グリスカセット固定部に固定されるグリスカセット、並びにグリスカセット固定部に螺着され、かつグリスカセットを被嵌するグリスカセットカバーと、グリスカセットカバーに摺動自在に内設される牽引具及びスプリングと、グリスカセットの口部の開閉を操作するグリスカセットカバーに設けたハンドルと、で構成したグリス注入機において、
グリスカセット固定部のグリスカセット用の受入れ空間を埋めるためのスペーサの構造であって、
スペーサは、ドーナツ形状、又はＣ形状のような環状形状で、かつ環状形状の肉厚は、グリスカセット固定部に形成した（グリスカセット固定部に突出形成した）口部の開口端面と、受入れ空間の内底部との寸法を備えるグリス注入機のスペーサの構造であり、従来のグリスカセット、及び、従来のグリス注入機のグリスカセット固定部の受入れ側の形状を、そのままで、従来のグリス注入機のグリスカセット固定部の受入れ側に、挿脱できる構造、又は使い捨てのグリスカセットに適する構造、或いはコスト高を回避しつつ、材料の無駄を無くすことができる構造を可能としたスペーサを提供できる特徴がある。そして、また、グリスカセット固定部の受入れ側の有底筒部への設置が、簡便で、誰もが自由にセットできる構造のスペーサを提供できる特徴がある。
【０００９】
請求項２の考案は、受入れ空間の内底部に膨出部位を備えたグリス注入機において、スペーサには、膨出部位を受入れるための空間を、受入れ空間の内底部と当接する当接側に凹設するグリス注入機のスペーサの構造であり、請求項１の目的を達成できること、さらに有効な、膨出部位を受入れるための空間を凹設したスペーサの構造を提供できること、等の特徴がある。
【００１０】
請求項３の考案は、受入れ空間にスペーサを挿入した際に、受入れ空間を形成する壁部端面と、スペーサ（のグリスカセットの肩部側）との間に、隙間（空間）を形成するグリス注入機のスペーサの構造であり、請求項１の目的を達成できること、さらに有効な、受入れ空間を形成する壁部内周面と、スペーサの外側との間に、隙間（空間）を形成できるスペーサの構造を提供できること、等の特徴がある。
【００１１】
請求項４の考案は、スペーサの、少なくとも、グリスカセットとの接触側を、平坦とするグリス注入機のスペーサの構造であり、請求項１の目的を達成できること、さらに有効な、接触側が平坦なスペーサの構造を提供できること、等の特徴がある。
【図面の簡単な説明】
【００１２】
【図１】グリス注入機と、本考案のスペーサ、並びにグリスカセット等の一例を示した要部を欠截した側面図
【図２】グリス注入機のグリスカセットカバーを取外した一例を示した要部の側面図
【図３】グリス注入機のグリスカセット固定部と、スペーサ、並びにグリスカセットの一例を示した拡大斜視図
【図４】グリス注入機のグリスカセット固定部の一例を示した要部の拡大俯瞰図
【図５】本考案のスペーサの一例を示した拡大俯瞰図
【図６】グリス注入機と、本考案のスペーサの他の一例を示した要部の拡大俯瞰図
【図７】グリス注入機のグリスカセットの一例を示した要部の拡大俯瞰図
【図８】従来のグリスカセットの円筒口部が離脱した状態の一例を示した要部の拡大俯瞰図
【図９】従来のグリス注入機と、従来のグリスカセット等の一例を示した要部を欠截した側面図
【考案を実施するための形態】
【００１３】
以下、本考案の好ましい、一実施例を説明する。
【００１４】
グリス注入機１０の構造は、周知であり、概要を説明すると（従来例と同じ構造は、同じ番号、並びに名称を使用する）、グリス注入機１０は、操作用のハンドル１０００と、後述するグリスカセット１の円筒口部１ｄの開閉、及びグリスを押出すプランジャ１００１とを備えたグリスカセット固定部１００２と、このグリスカセット固定部１００２に備える、グリスカセット１の肩部１ｂ及び本体部１ａと、その円筒口部１ｄとを、それぞれ受け入れる内底部１００２ａ１、及び内底部１００２ａ１に突出形成した貫通口部１００２ｂ、並びに環状壁部１００２ｃで構成される受入れ空間１００２ａと、また、グリスカセット固定部１００２に取付けられるとともに、グリスカセット１を被嵌するグリスカセットカバー１００３とで構成する。
【００１５】
グリスが充填される蛇腹形状のグリスカセット１の構造は、周知であり、概要を説明すると（従来例と同じ構造は、同じ番号、並びに名称を使用する）、グリスカセット１は、蛇腹筒体の本体部１ａと、本体部１ａを塞ぐ肩部１ｂ、及び底部１ｃと、肩部１ｂに設けたグリスが抽出される円筒口部１ｄ、並びに円筒口部１ｄと肩部１ｂとを繋ぐ繋ぎ部１ｅとで構成する。
【００１６】
図中２はスプリングで、このスプリング２は、グリスカセットカバー１００３に収容されており、牽引具３より、反力調整ができ、かつグリスカセット１の底部１ｃを、適宜の反力で押圧する。この押圧により、本体部１ａが後方（底部１ｃ）より押圧されることで、円筒口部１ｄよりグリスが押出される構造である。
【００１７】
本考案の主体となる受入れ空間１００２ａを埋めるためのスペーサ５は、図３と、図５、又は図６の構造がある。共通する構造は、全体の形態が、ドーナツ形状、又はＣ形状のような環状形状で、肉厚５ａを有する。この肉厚５ａは、例えば、グリスカセット固定部１００２の内底部（内底面）１００２ａ１（受入れ空間１００２ａの内底部（内底面）と同語）より突出形成した貫通口部１００２ｂ（後述するグリスカセットの円筒口部を嵌合する「取付ける」）の開口端面１００２ｂ１と、グリスカセット固定部１００２の内底部１００２ａ１（受入れ空間１００２ａの内底部１００２ａ１）とでなる寸法である。この肉厚５ａが、受入れ空間１００２ａの内底部１００２ａ１と、グリスカセット１の肩部１ｂとで形成される隙間Ｈ（換言すると、受入れ空間１００２ａ）を埋める。従って、従来問題であった、底部１ｃへの押圧が、グリスの移動（受入れ空間１００２ａの内底部１００２ａ１への移動）を促すとともに、本体部１ａが同期し、肩部１ｂの受入れ空間１００２ａの内底部１００２ａ１への撓み（隙間Ｈの存在で撓み発生）となる。肩部１ｂの撓みは、この肩部１ｂと円筒口部１ｄとの繋ぎ部１ｅにおける、大きな撓みに起因する、図７に示すような、撓み荷重Ａが発生する。撓み荷重Ａが、繋ぎ部１ｅに、繰り返しかかることで、この繋ぎ部１ｅより、円筒口部１ｄが、図８に示すように、離脱する。
【００１８】
円筒口部１ｄの離脱、即ち、撓み荷重Ａが、繋ぎ部１ｅに、繰り返し掛かることを無くす為に、隙間Ｈの存在を無くす。即ち、受入れ空間１００２ａにスペーサ５をセットすることで、この受入れ空間１００２ａの発生を無く（隙間Ｈの存在を無く）すか、又は撓み荷重Ａの発生（撓み）を少なくする。
【００１９】
以上のことから、スペーサ５の肉厚５ａは、少なくとも、前述の如く、グリスカセット固定部１００２の貫通口部１００２ｂの開口端面１００２ｂ１と、受入れ空間１００２ａの内底部１００２ａ１とでなる寸法とする。尚、形態は前述のドーナツ形状、又はＣ形状のような環状形状に限定されず、方形状、井桁形状、三角形状でも可能である。また、スペーサ５の一面（内底部１００２ａ１と当接する面）は、受入れ空間１００２ａの内底部１００２ａ１に合わせる。たとえば、図４、図５の例では、内底部１００２ａ１に膨出部位１００４を有する場合には、スペーサ５の当接面に凹部５ｂを形成する。尚、図６の例では、内底部１００２ａ１はフラットであり、スペーサ５の当接面も同じとする。
【００２０】
続いて、スペーサ５の使用方法の一例を説明すると、グリスカセットカバー１００３を、グリスカセット固定部１００２より取外し、開放された状態で、グリスカセット１が有るときには取外す。この取外したグリスカセット１では、別の場所に置くか、又は新しいグリスカセット１では、キャップ１ｆを取外し、円筒口部１ｄを開放する。その後の操作は、どのグリスカセット１も同じである。
【００２１】
スペーサ５を、グリスカセット固定部１００２の貫通口部１００２ｂの開口端面１００２ｂ１より被嵌し、内底部１００２ａ１に当接する。この当接後に、グリスカセット１の円筒口部１ｄを、グリスカセット固定部１００２の貫通口部１００２ｂの開口端面１００２ｂ１より差入れ（螺着し）、この差入れにより、グリスカセット１を、グリスカセット固定部１００２に取付ける。
【００２２】
取付け後は、グリスカセット固定部１００２にグリスカセットカバー１００３を取付けることで、グリス注入機１０は、スペーサ５とグリスカセット１等の装着ができる。また、この取付け時において、内底部１００２ａ１と、グリスカセット１の肩部１ｂとで形成される隙間Ｈには、スペーサ５がある。
【００２３】
この状態において、牽引具３を解除し、ハンドル１０００を操作すると（押下げると）、スプリング２の反力で、本体部１ａとグリスとが押込まれる（押圧される）とともに、肩部１ｂに押込み力が掛かる（押圧される）。しかし、本考案は、受入れ空間１００２ａにスペーサ５が存在し、問題となる隙間Ｈが無いことで、肩部１ｂ、及び／又は、繋ぎ部１ｅの撓み荷重Ａ（応力荷重）の発生が無く、この繋ぎ部１ｅの亀裂が解消される。これにより、円筒口部１ｄの離脱が、極めて、少なくなる特徴がある。
【００２４】
以上で説明した、スペーサ５の構造と、その特徴等の説明等は、好ましい一例を示したものである。従って、前述の条件に、何ら、拘泥される理由はなく、例えば、同様な効果と特徴を発揮できる、他の実施例や、その他の構造・手段は、本考案の範疇である。
【符号の説明】
【００２５】
１  グリスカセット
１ａ  本体部
１ｂ  肩部
１ｃ  底部
１ｄ  円筒口部
１ｅ  繋ぎ部
１ｆ  キャップ
２  スプリング
３  牽引具
５  スペーサ
５ａ  肉厚
５ｂ  凹部
１０  グリス注入機
１０００  ハンドル
１００１  プランジャ
１００２  グリスカセット固定部
１００２ａ受入れ空間
１００２ａ１  内底部
１００２ｂ  貫通口部
１００２ｂ１  開口端面
１００２ｃ  環状壁部
１００３  グリスカセットカバー
１００４  膨出部位
Ａ  撓み荷重
Ｈ  隙間
【図１】
0003195309.tif 000003
【図２】
0003195309.tif 000004
【図３】
0003195309.tif 000005
【図４】
0003195309.tif 000006
【図５】
0003195309.tif 000007
【図６】
0003195309.tif 000008
【図７】
0003195309.tif 000009
【図８】
0003195309.tif 000010
【図９】
0003195309.tif 000011
【手続補正書】
【提出日】平成26年10月31日(2014.10.31)
【手続補正１】
【補正対象書類名】実用新案登録請求の範囲
【補正対象項目名】全文
【補正方法】変更
【補正の内容】
【実用新案登録請求の範囲】
【請求項１】
グリスカセット固定部と、このグリスカセット固定部に固定されるグリスカセット、並びにこのグリスカセット固定部に螺着され、かつ前記グリスカセットを被嵌するグリスカセットカバーと、このグリスカセットカバーに摺動自在に内設される牽引具及びスプリングと、前記グリスカセットの口部の開閉を操作するグリスカセットカバーに設けたハンドルと、で構成したグリス注入機において、
前記グリスカセット固定部の前記グリスカセット用の受入れ空間を埋めるためのスペーサの構造であって、
このスペーサは、ドーナツ形状、又はＣ形状のような環状形状で、かつ環状形状の肉厚は、前記グリスカセット固定部に形成した口部の開口端面と、この受入れ空間の内底部との寸法を備える構成としたグリス注入機のスペーサの構造。
【請求項２】
前記受入れ空間の内底部に膨出部位を備えた前記グリス注入機において、前記スペーサには、前記膨出部位を受入れるための空間を、この受入れ空間の内底部と当接する当接側に凹設する構成とした請求項１に記載のグリス注入機のスペーサの構造。
【請求項３】
前記受入れ空間に前記スペーサを挿入した際に、この受入れ空間を形成する壁部端面と、このスペーサのグリスカセットの肩部側との間に、隙間を形成する構成とした請求項１に記載のグリス注入機のスペーサの構造。
【請求項４】
前記スペーサの、少なくとも、グリスカセットとの接触側を、平坦とする構成とした請求項１に記載のグリス注入機のスペーサの構造。
【手続補正２】
【補正対象書類名】明細書
【補正対象項目名】００１０
【補正方法】変更
【補正の内容】
【００１０】
請求項３の考案は、受入れ空間にスペーサを挿入した際に、受入れ空間を形成する壁部端面と、スペーサのグリスカセットの肩部側との間に、隙間を形成するグリス注入機のスペーサの構造であり、請求項１の目的を達成できること、さらに有効な、受入れ空間を形成する壁部内周面と、スペーサの外側との間に、隙間を形成できるスペーサの構造を提供できること、等の特徴がある。